(57)【要約】      （修正有）【課題】表面に微細な線状痕群を形成することで、触感にすぐれる樹脂成形品を提供する。【解決手段】触感にすぐれる樹脂成形品は、表面に、ジグザグを繰り返してなる複数の突条３０からなる線状痕群２０が形成されており、前記突条は、高さｈが５μｍ〜１００μｍ、幅Ｗ１が５μｍ〜１００μｍであって、前記線状痕群中の前記突条どうしの間隔Ｗ２は５μｍ〜１００μｍである。前記線状痕群は、隣り合う線状痕群どうしの間隔が、最も広い部分で１ｃｍ以下とすることが望ましい。【選択図】図２
0003188155.tif 000002
【実用新案登録請求の範囲】
【請求項１】
樹脂成形品であって、
表面に、ジグザグを繰り返してなる複数の突条からなる線状痕群が形成されており、
前記突条は、高さ５μｍ〜１００μｍ、幅５μｍ〜１００μｍであって、前記線状痕群中の前記突条どうしの間隔は５μｍ〜１００μｍである、
触感にすぐれる樹脂成形品。
【請求項２】
前記線状痕群は、隣り合う線状痕群どうしの間隔が、最も広い部分で１ｃｍ以下である、
請求項１に記載の触感にすぐれる樹脂成形品。
【請求項３】
各突条は、山部どうしのピッチが２ｃｍ以下である、
請求項１又は請求項２に記載の触感にすぐれる樹脂成形品。
【請求項４】
前記線状痕は、隣り合う線状痕群と位相をずらして形成される、
請求項１乃至請求項３の何れかに記載の触感にすぐれる樹脂成形品。
【請求項５】
前記線状痕群は、谷部が隣り合う線状痕群の山部と重なっている、
請求項１乃至請求項４の何れかに記載の触感にすぐれる樹脂成形品。
【考案の詳細な説明】
【技術分野】
【０００１】
本考案は、触感にすぐれる加工を施した樹脂成形品に関するものである。
【背景技術】
【０００２】
自動車や家屋、浴室などの内装部品、家電製品などに、樹脂成形品が採用されている。この樹脂成形品の手触り、すなわち、触感を高めるために、特許文献１では、基材となる樹脂成形品の表面に化粧フィルムを貼着している。
【０００３】
【特許文献１】特開２０１２−２１９２２１号公報
【考案の概要】
【考案が解決しようとする課題】
【０００４】
しかしながら、このような二層構造とすることで、構造や製造方法が複雑になり、また、材質が基材と化粧フィルムでは異なるから、熱膨張差等により、基材からフィルムが浮き上がってしまうことがある。
【０００５】
本考案は、表面に微細な線状痕群を形成することで、触感にすぐれる樹脂成形品を提供することを目的とする。
【課題を解決するための手段】
【０００６】
本考案に係る触感にすぐれる樹脂成形品は、
樹脂成形品であって、
表面に、ジグザグを繰り返してなる複数の突条からなる線状痕群が形成されており、
前記突条は、高さ５μｍ〜１００μｍ、幅５μｍ〜１００μｍであって、前記線状痕群中の前記突条どうしの間隔は５μｍ〜１００μｍである。
【０００７】
前記線状痕群は、隣り合う線状痕群どうしの間隔が、最も広い部分で１ｃｍ以下とすることが望ましい。
【０００８】
各突条は、山部どうしのピッチが２ｃｍ以下とすることが望ましい。
【０００９】
前記線状痕群は、隣り合う線状痕群と位相をずらして形成することが望ましい。
【００１０】
前記線状痕群は、谷部が隣り合う線状痕群の山部と重なっていることが望ましい。
【考案の効果】
【００１１】
本考案の樹脂成形品によれば、上記の如く規定された複数の突条からなる線状痕群を表面に形成することで、指先で触れたときの触感を高めることができる。とくに、線状痕群により、指先と樹脂成形品の表面との接触面積を小さくできるから、柔らかい触感とすることができる。また、突条は、指紋、すなわち、皮膚稜線よりも幅と隣り合う突条どうしの間隔を狭くしたことで、皮膚稜線が突条の先端のみに触れ、突条間には侵入しないから、指先が樹脂成形品に吸い付いてしまうこともなく、より触感を高めることができる利点がある。
【図面の簡単な説明】
【００１２】
【図１】図１は、本考案に係る樹脂成形品に形成された線状痕群を示す説明図である。
【図２】図２は、図１の線２−２に沿う線状痕群の拡大断面図である。
【図３】図３は、線状痕群の他の実施形態であって、図３（ａ）は矩形のジグザグ、図３（ｂ）はのこぎり歯状のジグザグである。
【図４】図４は、図１の線４−４に沿う線状痕群の断面図である。
【図５】図５は、図１の線５−５に沿う線状痕群の断面図である。
【考案を実施するための最良の形態】
【００１３】
以下、本考案の一実施例について、図面を用いて詳述する。本考案における樹脂成形品は、ＡＢＳ樹脂、ポリ塩化ビニル樹脂、ポリプロピレン樹脂などの熱可塑性樹脂や、フェノール樹脂、尿素樹脂、メラミン樹脂、アルキド樹脂などの熱硬化性樹脂から作製することができる。また、樹脂成形品の形状や寸法、厚さなどは特に限定されるものではなく、その用途により適宜決定することができる。
【００１４】
樹脂成形品１０は、図１に示すように、複数の線状痕群２０を表面に形成している。線状痕群２０は、夫々ジグザグを繰り返してなる複数の突条３０から構成される。
【００１５】
より詳細には、突条３０は、図２に示すように、樹脂成形品１０の表面に、高さｈが５μｍ〜１００μｍ、幅Ｗ１が５μｍ〜１００μｍであって、線状痕群２０中の突条３０どうしの間隔Ｗ２は５μｍ〜１００μｍとすることができる。図示の実施形態では、突条３０は断面矩形であるが、先端が細くなる台形形状や半円形状等としてもよい。
【００１６】
突条３０は、図１に示すような波状のジグザグ、図３（ａ）に示すように矩形のジグザグ、図３（ｂ）に示すようにのこぎり歯状のジグザグを例示することができる。もちろん、これら形状に限定されるものではない。
【００１７】
線状痕群２０は、図１及び図４に示すように、隣り合う線状痕群どうしの間隔Ｗが、最も広い部分で１ｃｍ以下とすることが望ましい。また、各突条３０の山部３２どうしのピッチＰは、図１及び図５に示すように、２ｃｍ以下とすることが望ましい。これにより、樹脂成形品１０をユーザが触れたときに、指先５０が突条３０に当たり、突条３０の形成されていない平面部分には当たることを防止でき、後述するとおり樹脂成形品１０の触感を高めることができる。
【００１８】
線状痕群２０は、隣り合う線状痕群２０と同位相としたり、図１に示すように隣り合う線状痕群２０と位相をずらして形成することができる。また、線状痕群２０は、谷部３４が隣り合う線状痕群２０の山部３２と重なるように形成することもできる。
【００１９】
線状痕群２０は、樹脂成形品１０の表面全部に形成することもできるが、ユーザが触れることの多い部分のみに形成してもよい。
【００２０】
上記の如き線状痕群２０の形成された樹脂成形品１０は、射出成形やブロー成形により作製することができる。この場合、金型に、線状痕群２０に対応する凹凸を形成することで成形を行なう。
【００２１】
樹脂成形品１０の表面に線状痕群２０を形成することにより、ユーザが指先で樹脂成形品１０に触れたときに、ユーザの指先５０は、まず突条３０からなる線状痕群２０に当たる。突条３０は、高さｈが５μｍ〜１００μｍ、幅Ｗ１が５μｍ〜１００μｍであって、線状痕群２０中の突条３０どうしの間隔は５μｍ〜１００μｍとしているから、指先５０で触れたときに、突条３０の先端にのみ当接する。従って、指先５０の樹脂成形品１０に対する接触面積を小さくできるから、柔らかい触感を得ることができる。また、突条３０は、指紋の皮膚稜線よりも間隔が狭く形成されているから、皮膚稜線が突条３０の先端のみに触れ、突条３０間には侵入しない。このため、指先５０が樹脂成形品１０に吸い付いてしまうような感覚もなく、より触感を高めることができる。
【００２２】
各突条３０は、ジグザグに形成されているから、指先５０を滑り難くすることができる。各突条３０は、山部３２どうしのピッチＰを２ｃｍ以下とすることで、より効果を高めることができる。
【００２３】
また、線状痕群２０は、隣り合う線状痕群２０どうしの間隔が、最も広い部分で１ｃｍ以下とすることで、樹脂成形品１０に触れたときに、指先５０が必ず線状痕群２０に当たるから、高触感を得ることができる。
【００２４】
線状痕群２０は、隣り合う線状痕群２０と位相をずらして形成したり、谷部３４が隣り合う線状痕群２０の山部３２と重なるようにすることで、意匠性を高めることができる。
【実施例】
【００２５】
図１に示す線状痕群２０を形成した樹脂成形品１０を作製し、その触感を「良い、普通、悪い」の三段階で評価した。
【００２６】
樹脂成形品１０は、ＡＢＳ樹脂から構成され、表面に高さｈが１５μｍ、幅Ｗ１が４０μｍの突条３０からなり、突条３０どうしの間隔Ｗ２が４０μｍである線状痕群２０を形成した。各突条３０は、山部３２どうしのピッチＰが１．１ｃｍである。
【００２７】
線状痕群２０は、隣り合う線状痕群２０どうしの間隔Ｗが、最も広い部分で０．７ｃｍ以下とし、隣り合う線状痕群２０と位相をずらして形成すると共に、谷部３４が隣り合う線状痕群２０の山部３２と重なるように形成している。
【００２８】
上記線状痕群２０を形成した樹脂成形品１０について、５０人がその触感を評価した。その結果、９０％が「良い」と評価した。
【００２９】
上記実施例の説明は、本考案を説明するためのものであって、実用新案登録請求の範囲に記載の考案を限定し、或は範囲を減縮する様に解すべきではない。又、本考案の各部構成は上記実施例に限らず、実用新案請求の範囲に記載の技術的範囲内で種々の変形が可能であることは勿論である。
【符号の説明】
【００３０】
１０  樹脂成形品
２０  線状痕群
３０  突条
３２  山部
３４  谷部
【図１】
0003188155.tif 000003
【図２】
0003188155.tif 000004
【図３】
0003188155.tif 000005
【図４】
0003188155.tif 000006
【図５】
0003188155.tif 000007